(57)【要約】【課題】乗用型田植機等の移植機の機体側部に装着する予備苗載せ台に、より多くの予備苗を載置できるように構成して苗補給作業の効率化を図る。【解決手段】予備苗載せ台１５を機体の左右中心側に向けて所定の傾斜角度で傾斜させた傾斜姿勢で支持すると共に、前記予備苗の長手方向を機体の左右に向けた状態で機体の前後方向に搬送可能に構成することによって、予備苗載せ台１５の機体からの突出量を極力少なくし、且つ予備苗載せ台１５の全長を延長せずに従来の約２倍の予備苗を当該予備苗載せ台１５上に載置できるようにした。【選択図】図４
2008005763.tif 000002
【特許請求の範囲】
【請求項１】
走行機体（１４）の後部に植付作業機（２７）を昇降自在に連結し、走行機体（１４）の側部に機体前端から前方に突出して畦際から長方形の予備苗（Ｎ）を補給できる予備苗載せ台（１５）を備えた移植機において、前記予備苗載せ台（１５）を機体の左右中心側に向けて所定の傾斜角度で傾斜させた傾斜姿勢で支持すると共に、前記予備苗（Ｎ）の長手方向を機体の左右に向けた状態で機体の前後方向に搬送可能に構成したことを特徴とする移植機。
【請求項２】
前記予備苗載せ台（１５）を下方回動させて植付作業機（２７）の最大幅以内に収納可能に構成した請求項１に記載の移植機。
【発明の詳細な説明】
【技術分野】
【０００１】
本発明は、走行機体の側部に畦際から予備苗を連続的に補給するための予備苗載せ台を備えた乗用型田植機等の移植機に関する。
【背景技術】
【０００２】
従来、乗用型田植機等の移植機においては、畦際から当該移植機に予備苗を補給する際は、畦際の補助作業者が移植機のオペレータに予備苗を一枚ずつ手渡ししていたが、作業性が極めて悪いことから、その改善策として、畦際から予備苗を連続的に補給することができる折畳み式の予備苗載せ台を機体の側部に配設したものが知られている（例えば、特許文献１参照）。
【特許文献１】特開２００５−１７６６８０号公報（第４−６頁、図１、図８）
【発明の開示】
【発明が解決しようとする課題】
【０００３】
ところが、上述した従来の折畳み式の予備苗載せ台は、長方形の予備苗の長手方向を機体の前後に向けた状態で機体の前後方向に順次搬送しようとするものであり、この折畳み式の予備苗載せ台上には、乗用型田植機（移植機）の植え付け条数に対応する枚数程度の予備苗しか一度に載置することができないことから、更に多くの予備苗を当該予備苗載せ台上に載置できるように構成して苗補給作業を効率的に行なえるようにすることが期待されていた。
【課題を解決するための手段】
【０００４】
本発明は、上記課題を解決することを目的としたものであって、走行機体の後部に植付作業機を昇降自在に連結し、走行機体の側部に機体前端から前方に突出して畦際から長方形の予備苗を補給できる予備苗載せ台を備えた移植機において、前記予備苗載せ台を機体の左右中心側に向けて所定の傾斜角度で傾斜させた傾斜姿勢で支持すると共に、前記予備苗の長手方向を機体の左右に向けた状態で機体の前後方向に搬送可能に構成したことを第１の特徴としている。
【０００５】
そして、前記予備苗載せ台を下方回動させて植付作業機の最大幅以内に収納可能に構成したことを第２の特徴としている。
【発明の効果】
【０００６】
請求項１の発明によれば、予備苗載せ台を機体の左右中心側に向けて所定の傾斜角度で傾斜させた傾斜姿勢で支持すると共に、前記予備苗の長手方向を機体の左右に向けた状態で機体の前後方向に搬送可能に構成したことによって、予備苗載せ台の機体からの突出量を極力少なくし、且つ予備苗載せ台の全長を延長せずに従来の約２倍の予備苗を当該予備苗載せ台上に載置できるようになり、苗補給作業の効率化が図れる。
【０００７】
そして、請求項２の発明によれば、前記予備苗載せ台を下方回動させて植付作業機の最大幅以内に収納可能に構成したことによって、省スペース化が図れると共に、移植機をトラック等で運搬する際や倉庫に格納する際に、移植機の最大幅部分となる植付作業機から予備苗載せ台が突出することがないので、当該運搬作業や格納作業を支障なく行なうことができる。
【発明を実施するための最良の形態】
【０００８】
次に、本発明の実施形態を図面に基づいて説明する。図１及び図２は、移植機の一例である４条植えの乗用型田植機１１の側面図と平面図であって、この乗用型田植機１１は、左右一対の前輪１２及び後輪１３に支持された走行機体１４を有し、その左右一側（本実施例では右側）に詳細は後述する折畳み式の予備苗載せ台１５を配設すると共に、他側（左側）には、上下２段の予備苗台を備える予備苗載せ台１６を設けている。
【０００９】
そして、走行機体１４の前側には、ボンネット１７で覆われた図示しないエンジンを搭載すると共に、ボンネット１７の後方には、ステアリングホイール１８、図示しない主変速レバー、及び運転操作パネル１９等を備えた操縦部２１と、該操縦部２１の床面を形成するステップ２２、座席２３を支持する機体カバー２４を設けている。尚、機体カバー２４の後部には、走行機体１４に支持した平坦な苗補給用ステップ２５を設けている。
【００１０】
また、走行機体１４の後方には、昇降リンク機構２６を介して植付作業機２７を昇降自在に連結している。植付作業機２７は、前高後低状に傾斜して設けた苗載せ台２８と、該苗載せ台２８から苗を掻取って植え付ける複数の植付杆２９を備えた移植装置３１と、この移植装置３１の下方には、植付け田面を整地するフロート３２等を設けているが、これらの基本的な構成は何れも従来通りであり詳細な説明を省略する。
【００１１】
そして、ボンネット１７の左右両側に形成されているフロントステップ３３の右側下方には、走行機体１４から外側方に延出させて立ち上げた２本の支柱３４ｆ，３４ｒを備えるブラケット３４が設けてあり、このブラケット３４に、圃場からの段差が大きい畦際の道路や畦から予備苗（マット苗）を連続的に補給することができる折畳み式の予備苗載せ台１５を装着している。尚、フロントステップ３３の左側下方には、走行機体１４から外側方に延出させて立ち上げた一本の支柱５６を有し、この支柱５６に、苗載せ姿勢から上方に折り畳んだ図示しない格納姿勢に姿勢変更可能な上下２段の予備苗台５７，５７を装着している。
【００１２】
更に詳しくは、上述したブラケット３４を構成する２本の支柱３４ｆ，３４ｒの上部には、前高後低状の支持パイプ３５が固設してあり、この支持パイプ３５の前後両端部に嵌装する側面視でコ字状の断面形状を有するホルダ３６，３６に、図３及び図４に示す如く折畳み式の予備苗載せ台１５を構成する固定苗台１５ａを螺設すると共に、詳細は後述する姿勢保持手段Ｋを介して、当該固定苗台１５ａを機体の左右中心側に向けて所定の傾斜角度で傾斜させた傾斜姿勢で支持している。
【００１３】
そして、固定苗台１５ａの前端部の支点Ｐ１に可動苗台１５ｂを回動可能に支持してあり、この可動苗台１５ｂは、図１に実線で示すように、固定苗台１５ａ前方のボンネット１７より高い位置に展開して走行機体１４の前端から大きく突出する展開姿勢状態と、二点鎖線で示すように固定苗台１５ａの上方に折畳んだ格納姿勢状態に姿勢変更することができるようになっている。
【００１４】
尚、可動苗台１５ｂが展開姿勢状態または格納姿勢状態にある時は、この可動苗台１５ｂと固定苗台１５ａは、上述した支持パイプ３５と同様な前高後低の傾斜姿勢に保持されるようになっている。また、可動苗台１５ｂを固定苗台１５ａの上方に折畳んだ格納姿勢状態において、両苗台１５ａ，１５ｂの夫々に予備苗を載置できるように両苗台１５ａ，１５ｂの上下間隔を設定している。この時可動苗台１５ｂはステアリングホイール１８の上方に位置すると共に、当該可動苗台１５ｂの後端部は、座席２３の前端とステアリングホイール１８の後端との間に収まっている。
【００１５】
そして、座席２３前側の左右側方には、ステップ２２が回り込んで形成されており、このステップ２２が回り込んで形成された部分に臨んで、当該ステップ２２よりも一段低い位置に補助ステップＳが設けてあることから、該補助ステップＳを利用して乗用型田植機１１のオペレータがステップ２２へ乗降しようとする際、可動苗台１５ｂと固定苗台１５ａが邪魔になることがないのでスムーズな乗降が可能である。
【００１６】
また、上述した固定苗台１５ａと可動苗台１５ｂは、軽量部材であるアルミ合金製の左右の外枠Ｆ，Ｆ、またはポリアミド（ナイロン）等の熱可塑性樹脂を用いて射出成形した左右の外枠Ｆ，Ｆ間に、所定の前後間隔で複数の転動ローラ４１を取り付けたローラコンベアの形態を採用しており、それによって予備苗を搬送するための所定幅を有する搬送作用面と脱落防止枠を構成している。更に転動ローラ４１の長さＬは、長方形の予備苗を長手方向に載置できるように設定してあり、図５に示すように、予備苗載せ台１５の全長を延長することなく従来の約２倍の予備苗（具体的には二点鎖線で示す６枚の予備苗）Ｎを当該予備苗載せ台１５上に載置できるように構成している。
【００１７】
したがって、圃場面からの段差が大きい畦際の道路や畦等から予備苗載せ台１５に予備苗Ｎを補給する際は、従来と同様に、先ず走行機体１４の前端から大きく突出する可動苗台１５ｂを、例えば畦際に進入させ、しかる後に予備苗Ｎが育苗されている方形状の苗箱、あるいは苗箱に育苗されている予備苗Ｎを図示しない苗スクレーパで掬い取った状態で、予備苗載せ台１５の複数の転動ローラ４１上を走行機体１４の後方に向けて滑らせることにより、当該予備苗Ｎを畦際から連続的に予備苗載せ台１５上に補給することができる。
【００１８】
この時、従来は、長方形の予備苗Ｎの長手方向を機体の前後に向けた状態で機体の前後方向に順次搬送するのに対し、本発明は、長方形の予備苗Ｎの長手方向を機体の左右に向けた状態で機体の前後方向に順次搬送するものであり、予備苗載せ台１５の全長を延長せずに従来の約２倍の予備苗Ｎを当該予備苗載せ台１５上に載置できるようになり、苗補給作業の効率化が図れる。
【００１９】
また、可動苗台１５ｂを走行機体１４の前端から大きく突出する展開姿勢状態とした時は、この可動苗台１５ｂも固定苗台１５ａと同様に機体の中心側に所定の下がり傾斜角度で保持されるようになっており、それによって予備苗載せ台１５の機体からの突出量を極力少なくすることができる。
【００２０】
そして、予備苗Ｎが育苗されている方形状の苗箱や苗スクレーパで掬い取った状態の予備苗Ｎを畦際から連続的に予備苗載せ台１５上に補給する際は、予備苗載せ台１５に備える複数の転動ローラ４１上を機体１４の後方に向けて滑らせながら搬送するが、上述の如く予備苗載せ台１５は、機体の左右中心側に向けて所定の傾斜角度で傾斜させた傾斜姿勢で支持されており、その機体中心側の外枠Ｆと前記苗箱や苗スクレーパとの摺動抵抗が生じてスムーズな搬送が阻害されるので、図６に示すように、当該外枠Ｆの内面側に複数のローラ４２を設けることにより摺動抵抗の低減を図っている。尚、前記ローラ４２に変えて適切なリブを設けてもよい。
【００２１】
また、可動苗台１５ｂを固定苗台１５ａの上方に折畳んだ格納姿勢状態で、両苗台１５ａ，１５ｂを下方移動可能、即ち図２、図７、及び図８に示すように、両苗台１５ａ，１５ｂを下方に折畳むことができるようになっている。
【００２２】
更に詳しく説明すると、図３及び図４に示すように、支持パイプ３５の後端部に嵌装して固定苗台１５ａの後部を支持する側面視でコ字状の断面形状を有するホルダ３６には、このホルダ３６の一側に固設したボス３６ａに貫通すると共に、支持パイプ３５側に固設した固定苗台１５ａの前後の位置決め手段を兼ねるプレート３５ａに係止するＬ字状のロックピン４５を設けている。
【００２３】
そして、このロックピン４５は、その先端部がプレート３５ａに穿設した係止孔Ｈ１，Ｈ２のうち、何れか一方の孔に常時は係止させることができるように圧縮スプリング４６を介して付勢している。即ち、前記ロックピン４５、圧縮スプリング４６、及び係止孔Ｈ１，Ｈ２によって固定苗台１５ａの姿勢保持手段Ｋを構成しており、図３及び図４に示すように、ロックピン４５の先端をプレート３５ａに穿設した係止孔Ｈ１に係止させた固定苗台１５ａの姿勢保持状態、即ち予備苗載せ台１５を機体の中心側に所定の下がり傾斜角度で保持した状態で、可動苗台１５ｂを展開姿勢状態と格納姿勢状態とに姿勢変更することができる。
【００２４】
また、可動苗台１５ｂを固定苗台１５ａの上方に折畳んだ格納姿勢状態において、上述した係止孔Ｈ１に対するロックピン４５の係止を解除することにより、両苗台１５ａ，１５ｂを支持パイプ３５を支点として一体に下方回動させ、次いでロックピン４５の先端をプレート３５ａに穿設した係止孔Ｈ２に係止することによって、両苗台１５ａ，１５ｂを図２、図７、及び図８に示すように下方に折畳むことができるように構成している。
【００２５】
そして、図示するように可動苗台１５ｂと固定苗台１５ａを一体に下方に折畳んだ状態では、両苗台１５ａ，１５ｂの上部は、ステアリングホイール１８と略同じ高さに位置すると共に、両苗台１５ａ，１５ｂを下方に折畳む前の横幅よりも折畳んだ後の横幅のほうが狭くなるので、詳細は後述する植付作業機２７の最大幅以内に両苗台１５ａ，１５ｂを収納することができる。
【００２６】
尚、上述したように可動苗台１５ｂを固定苗台１５ａの上方に折畳んだ格納姿勢状態から、両苗台１５ａ，１５ｂを一体に下方に折畳む時は、固定苗台１５ａの前端部の支点Ｐ１に回動可能に支持されている可動苗台１５ｂが、当該支点Ｐ１を中心として外側に開くことがないように、図示しない固定フックやゴムバンド等を用いた適切な開き防止手段を設けることが好ましい。
【００２７】
以上説明したように折畳み式の予備苗載せ台１５を構成することによって、乗用型田植機１１を比較的高速で路上走行させる際や、乗用型田植機１１を凹凸の大きい圃場へ出入りさせる場合には、当該予備苗載せ台１５を下方に移動させておけば走行機体１４の重心位置を下げることができ、乗用型田植機１１の安全且つ安定した走行が可能になる。そして、本実施例の如く植付条数の少ない４条植えの乗用型田植機１１のように、前後輪１２，１３の輪距が狭い走行機体１４を有する小型の移植機であっても、その転倒角が低下することを回避可能であり、特に走行機体１４の左右一側にのみに折畳み式の予備苗載せ台１５を設ける場合には極めて有効である。
【００２８】
また、可動苗台１５ｂと固定苗台１５ａを一体に下方に折畳み（下方回動）可能に構成したことにより、図２に示すように、両苗台１５ａ，１５ｂを植付作業機２７の最大幅以内、即ち左右一対のエプロンガード５１，５１よりも内側に両苗台１５ａ，１５ｂを収納することができると共に、両苗台１５ａ，１５ｂの先端が走行機体１４の前端から突出することがないので省スペース化が図れる。したがって、乗用型田植機１１をトラック等で運搬する際や倉庫に格納する際に、乗用型田植機１１の最大幅部分となる植付作業機２７から両苗台１５ａ，１５ｂが突出することがないので、当該運搬作業や格納作業を支障なく行なうことができる。
【００２９】
そして、可動苗台１５ｂと固定苗台１５ａを下方に折畳んだ状態の時も、乗用型田植機１１のオペレータは、ステップ２２よりも一段低い位置に設けられた補助ステップＳを利用して、支障なく当該ステップ２２へ乗降することができる。尚、可動苗台１５ｂと固定苗台１５ａを一体に折畳むことなく下方移動させるには、折畳み式の予備苗載せ台１５を装着する２本の支柱３４ｆ，３４ｒを上下に伸縮自在に構成することによっても可能である。
【００３０】
ところで、固定苗台１５ａの姿勢保持手段Ｋを構成する係止孔Ｈ１，Ｈ２を穿設したプレート３５ａに、ロックピン４５が係止可能な図示しない更なる係止孔を穿設することによって、固定苗台１５ａの保持姿勢を図４に示す状態よりも、更に機体の中心側に下がり傾斜で保持できるように構成すれば、乗用型田植機１１のオペレータが予備苗載せ台１５から予備苗を取り出して後方の苗載せ台２８に供給する際、この予備苗を手で持ち易くなり作業性が向上する。
【００３１】
尚、上述した予備苗載せ台１５を装着するブラケット３４の走行機体１４側、即ちフロントステップ３３側には、図示しない苗箱に育苗されている予備苗を掬い取る苗スクレーパを収容可能な籠状の収納具５５取り付けている。
【００３２】
また、図９及び図１０に示すように、予備苗載せ台１５を支持するブラケット３４の基部と固定苗台１５ａの最外側下面とに連結するスライド式のステー６１を設け、このステー６１を介して予備苗載せ台１５を機体の左右中心側に向けて所定の傾斜角度で傾斜させた傾斜姿勢で支持できるように構成してもよい。更に詳しくは、スライド式のステー６１は、ブラケット３４の基部に連結する下部ステー６１ａと固定苗台１５ａの最外側下面に連結する上部ステー６１ｂとを備え、この上部ステー６１ｂにスライド調節用の長穴Ｈ３を形成すると共に、下部ステー６１ａの先端側には、前記長穴Ｈ３に挿通して両ステー６１ａ，６１ｂを固定するノブ付ボルト６２を螺設できるように構成している。
【００３３】
即ち、図９に示す状態は、予備苗載せ台１５が略水平状態となるように長穴Ｈ３の略中間部でスライド式のステー６１を調節固定したものであり、また図１０に示す状態は、上部ステー６１ｂを図中Ｂ矢印方向に引き上げて、長穴Ｈ３の下端とノブ付ボルト６２を当接させた状態で下部ステー６１ａと上部ステー６１ｂを固定したものであり、それによって当該予備苗載せ台１５を機体の左右中心側に向けて所定の傾斜角度で傾斜させた傾斜姿勢で支持することができる。
【図面の簡単な説明】
【００３４】
【図１】乗用型田植機の側面図。
【図２】乗用型田植機の平面図。
【図３】固定苗台の装着構成を示す一部省略側面図。
【図４】図３におけるＡ矢視図（姿勢保持手段の構成を示す正面図）。
【図５】予備苗載せ台上に予備苗を載置した状態を示す一部省略平面図。
【図６】予備苗載せ台に備える転動ローラの構成を示す乗用型田植機の側面図。
【図７】予備苗載せ台を下方に折畳んだ状態を示す乗用型田植機の側面図。
【図８】予備苗載せ台を下方に折畳んだ状態を示す一部省略正面図。
【図９】予備苗載せ台を略水平姿勢に保持した状態を示す一部省略正面図。
【図１０】予備苗載せ台を下がり傾斜姿勢で保持した状態を示す一部省略平面図。
【符号の説明】
【００３５】
１４  走行機体
１５  載せ台
２７  植付作業機
Ｎ    予備苗
【図１】
2008005763.tif 000003
【図２】
2008005763.tif 000004
【図３】
2008005763.tif 000005
【図４】
2008005763.tif 000006
【図５】
2008005763.tif 000007
【図６】
2008005763.tif 000008
【図７】
2008005763.tif 000009
【図８】
2008005763.tif 000010
【図９】
2008005763.tif 000011
【図１０】
2008005763.tif 000012